(57)【要約】【課題】  エミッタフォロワ回路における立下り特性が従来よりも優れた固体撮像装置を提供することを目的とする。【解決手段】  固体撮像装置は、エミッタフォロワ回路２を備え、エミッタフォロワ回路２を構成するトランジスタＴｒ２は、ＰＮＰ型のバイポーラトランジスタとする。この構成においてエミッタフォロワ回路２の出力端子１０の電位を下げる場合、ＰＮＰ型のトランジスタＴｒ２は出力端子１０の電荷を積極的にグラウンドに放電するための電流源として働く。したがって、固体撮像装置は、エミッタフォロワ回路２における立下り特性が従来よりも優れているといえる。【選択図】  図１
2005348267.tif 000002
【特許請求の範囲】
【請求項１】
固体撮像素子と、当該固体撮像素子の出力インピーダンスを変換するエミッタフォロワ回路とを備える固体撮像装置であって、
前記エミッタフォロワ回路を構成するトランジスタは、ＰＮＰ型のバイポーラトランジスタであり、
そのエミッタ端子は、負荷抵抗を介して所定電位の第１端子に接続され、
そのコレクタ端子は、前記所定電位よりも低い電位の第２端子に接続されていること
を特徴とする固体撮像装置。
【請求項２】
前記所定電位よりも低い電位は、グラウンド電位であること
を特徴とする請求項１に記載の固体撮像装置。
【請求項３】
前記トランジスタは、
コレクタの定格電流が１ｍＡ以上２０ｍＡ以下であること
を特徴とする請求項１に記載の固体撮像装置。
【請求項４】
前記固体撮像装置は、さらに、前記エミッタフォロワ回路からの出力信号を信号処理する処理回路を備え、
前記固体撮像素子及び前記エミッタフォロワ回路は、前記処理回路と異なるプリント基板に搭載されており、
前記トランジスタは、
そのエミッタ端子が前記処理回路と配線により接続されていること
を特徴とする請求項１に記載の固体撮像装置。
【請求項５】
固体撮像素子と、当該固体撮像素子の出力インピーダンスを変換するソースフォロワ回路とを備える固体撮像装置であって、
前記ソースフォロワ回路を構成するトランジスタは、Ｐチャネル型の電界効果トランジスタであり、
そのソース端子は、負荷抵抗を介して所定電位の第１端子に接続され、
そのドレイン端子は、前記所定電位よりも低い電位の第２端子に接続されていること
を特徴とする固体撮像装置。
【請求項６】
前記所定の電位よりも低い電位は、グラウンド電位であること
を特徴とする請求項５に記載の固体撮像装置。
【請求項７】
前記トランジスタは、
ドレインの定格電流が１ｍＡ以上２０ｍＡ以下であること
を特徴とする請求項５に記載の固体撮像装置。
【請求項８】
前記固体撮像装置は、さらに、前記ソースフォロワ回路からの出力信号を信号処理する処理回路を備え、
前記固体撮像素子及び前記ソースフォロワ回路は、前記処理回路と異なるプリント基板に搭載されており、
前記トランジスタは、
そのソース端子が前記処理回路とケーブルにより接続されていること
を特徴とする請求項５に記載の固体撮像装置。
【発明の詳細な説明】
【技術分野】
【０００１】
本発明は、固体撮像装置において固体撮像素子の出力インピーダンスを変換するエミッタフォロワ回路に関し、特に、エミッタフォロワ回路の立下り特性を向上させる技術に関する。
【背景技術】
【０００２】
デジタルスチルカメラやデジタルビデオカメラなどの固体撮像装置が一般に普及している。
図５は、従来の固体撮像装置の構成を示す図である。
固体撮像装置は、ＣＣＤ１、エミッタフォロワ回路２、処理回路３を備える。ＣＣＤ１は、複数の画素を有しており、各画素において受光量に応じた電気信号を生成し、これらの電気信号を順次出力する。エミッタフォロワ回路２は、ＣＣＤ１の出力インピーダンスを低減させるインピーダンス変換回路としての役割を果たす。通常、ＣＣＤ１の出力インピーダンスは、処理回路３の入力インピーダンスに比べて高いので、エミッタフォロワ回路２によるインピーダンス変換が不可欠である。処理回路３は、エミッタフォロワ回路２からの出力信号を相関二重サンプリング（ＣＤＳ）などのノイズ除去処理を施した後、サンプリングしてデジタル信号に変換し、これを各画素の画素値としてメモリに蓄積する（特許文献１参照）。
【０００３】
ところで、ＣＣＤ１の１画素分の出力信号は、まずリセットノイズ電位が現れ、その後リセットノイズ電位よりも低電位の基準電位（フィードスルー電位とも言われる）が現れ、さらにその後基準電位よりも低電位の信号電位が現れるという特有の形状を示す。この基準電位と信号電位との電位差が１画素分の画素値に相当する。ＣＣＤ１の出力信号は、上記の１画素分の出力信号を全画素について繰り返したものとなる。上述のように、１画素分の出力信号は信号出力開始時に段階的に電位が下がり、その後リセット動作までの一定期間ほぼ一定の電位を保つ、という構成になっている。すなわち、ＣＣＤ１の出力信号はその出力開始時に信号波形が立ち下がり波形となることが特徴的である。
前述のＣＤＳによるノイズ除去では基準電位と信号電位をそれぞれクランプし、この差分を１画素分の信号とすることにより、１画素毎に発生するリセット動作後の基準電位の揺らぎを除去することができる。
【特許文献１】特許２９８２３５３号
【発明の開示】
【発明が解決しようとする課題】
【０００４】
しかしながら、従来の固体撮像装置は、特に近年のＣＣＤ１の高画素化に伴い、ＣＣＤ１の出力信号の周波数が益々高くなる傾向にある中で、その出力応答特性を十分早くできない課題を有していた。
エミッタフォロワ回路２の出力端子１０とグラウンドとの間に負荷抵抗Ｒ１（１ｋΩ程度）が介在している。また、エミッタフォロワ回路２には、出力端子１０と後段に接続される処理回路３内のクランプ容量Ｃ２、および出力端子１０と処理回路３との間の接続の配線によるカップリング容量Ｃ１等が存在するため、エミッタフォロワ回路２の立下り特性は、カップリング容量Ｃ１及びクランプ容量Ｃ２と、負荷抵抗Ｒ１とで定まる時定数に依存し、この時定数より早い立下り入力に追従して出力応答することができない。
近年のＣＣＤ１の高画素化に伴い、ＣＣＤ１の出力信号の周波数が益々高くなる傾向にあり、より立下り特性の優れた特性が要求されており、この要求に対応するためには負荷抵抗Ｒ１の抵抗値を小さくすることでＣＲ時定数を短くし、高速化に対応する必要があった。
エミッタフォロワ回路２の負荷抵抗Ｒ１の抵抗値を小さくすると、トランジスタＴｒ１に流れる定常電流がこれに逆比例する形で増大し、トランジスタＴｒ１の発熱が大きな問題となってくる。一般的に定格電流の大きなトランジスタは、周波数特性が悪く、特性の両立が困難である。
【０００５】
出力端子１０での信号出力応答特性が良くないと、１画素分の信号出力波形において時間経過に対する安定なサンプリング領域が得られず、後段の処理回路でのＣＤＳなどの信号処理が不安定になり、画像劣化を引き起こす。
そこで、本発明は、固体撮像素子の出力インピーダンスを変換するエミッタフォロワ回路において、特に固体撮像素子に特徴的な出力特性に適合して立ち下がり応答特性を改善し、高画素でも画像劣化を起こしにくい固体撮像装置を提供することを目的とする。
【課題を解決するための手段】
【０００６】
本発明に係る固体撮像装置は、固体撮像素子と、当該固体撮像素子の出力インピーダンスを変換するエミッタフォロワ回路とを備える固体撮像装置であって、前記エミッタフォロワ回路を構成するトランジスタは、ＰＮＰ型のバイポーラトランジスタであり、そのエミッタ端子は、負荷抵抗を介して所定電位の第１端子に接続され、そのコレクタ端子は、前記所定電位よりも低い電位の第２端子に接続されていることを特徴とする。
【発明の効果】
【０００７】
エミッタフォロワ回路は、トランジスタのエミッタ端子をその出力端子とするものである。上記構成によれば、ＰＮＰ型のトランジスタは、出力端子の電荷を第２端子へと放出するための電流源として働き、立ち下がり波形の信号が入力したときトランジスタを流れる電流が増加する方向であるので、入力信号の立ち下がり波形に応答して出力端子の電位が下がる。即ち、出力端子の電位は、電流源により積極的に下げられることになる。
【０００８】
一方、従来技術では、出力端子の電位は、電流が負荷抵抗を流れることにより下げられる。負荷抵抗を流れる電流は、出力端子の電位が下がるにつれて減少する。
したがって、本発明の固体撮像装置は、エミッタフォロワ回路の立下り特性が従来よりも優れている。そのため、１画素分の信号出力波形において時間経過に対する安定なサンプリング領域が得られ、ＣＤＳなどの信号処理が従来よりも安定に動作し、画像劣化が起こりにくくなる。
【０００９】
また、前記所定電位よりも低い電位は、グラウンド電位であることとしてもよい。
上記構成によれば、コレクタ端子の電位はグラウンド電位に固定されることとなる。
固体撮像装置は、その製造過程においてエミッタフォロワ回路の出力端子が予期せずグラウンドにショートする場合があり得る。これは、例えば、出力端子と配線とを接続する際のハンダブリッジによる場合や、製品完成後の検査段階でオペレータがエミッタフォロワ回路の出力信号をモニタリングしようとしたとき、電圧計のプローブを出力端子とグラウンドとの双方に接触させてしまう場合などが考えられる。
【００１０】
従来の固体撮像装置は、出力端子がグラウンドにショートした場合、短絡電流は、電源回路からグラウンドまでにトランジスタを通過することになる。その結果、トランジスタあるいは電源回路が破損してしまい、製品の歩留りの低下を招く。
一方、本発明の固体撮像装置は、出力端子がグラウンドにショートした場合、短絡電流は、電源回路からグラウンドまでに負荷抵抗を通過することになる。即ち、短絡電流の通過路にトランジスタが介在しないので、トランジスタが破損することがない。さらに、短絡電流は負荷抵抗を通過するので電流値自体も抑制されるため、電源回路が破損することもない。
【００１１】
これにより、本発明の固体撮像装置は、出力端子が予期せずグラウンドにショートした場合であっても、ショートの原因（ハンダブリッジによる場合はハンダ）を除去することで原状回復されるため、歩留りの低下を抑制することができる。
また、前記トランジスタは、コレクタの定格電流が１ｍＡ以上２０ｍＡ以下であることとしてもよい。
【００１２】
トランジスタの定格電流が小さくなれば、そのサイズも小さくすることができる。トランジスタには、ベースとコレクタとの間のＰＮ接合に起因する寄生容量が存在する。トランジスタのサイズが小さくなればその寄生容量が小さくなる。固体撮像素子は、コンシューマカメラ用途で１５ＭＨｚから５０ＭＨｚ程度と比較的高い周波数の矩形の駆動パルスを用いて駆動する。その出力信号は更に高周波成分が存在するので、容量成分による信号劣化を考慮するとトランジスタの寄生容量は小さいほうが望ましい。
【００１３】
通常、固体撮像装置におけるエミッタフォロワ回路は、１ｍＡから１０ｍＡ程度の電流が流れ、これ以上の電流が流れることはない。したがって、高周波数の駆動および大容量負荷等を考慮しても、トランジスタの定格電流を２０ｍＡよりも大きくする必要がない。そこで、トランジスタの定格電流を１ｍＡ以上２０ｍＡ以下とすることで、トランジスタの寄生容量を可能な限り小さく抑えることができる。その結果、容量成分による信号劣化を抑制することができる。
【００１４】
また、前記固体撮像装置は、さらに、前記エミッタフォロワ回路からの出力信号を信号処理する処理回路を備え、前記固体撮像素子及び前記エミッタフォロワ回路は、前記処理回路と異なるプリント基板に搭載されており、前記トランジスタは、そのエミッタ端子が前記処理回路と配線により接続されていることとしてもよい。
上記構成によれば、固体撮像装置は、その製造過程において、エミッタ端子とケーブルとが接続されることになる。このとき、ハンダブリッジによりエミッタ端子がグラウンドにショートする可能性がある。しかしながら、上述したように、本発明の固体撮像装置は、短絡電流によるトランジスタや電源回路の破損がなく、ハンダブリッジを起こしているハンダを除去するだけで原状回復させることができる。これにより歩留りの低下を抑制することができる。
【００１５】
本発明に係る固体撮像装置は、固体撮像素子と、当該固体撮像素子の出力インピーダンスを変換するソースフォロワ回路とを備える固体撮像装置であって、前記ソースフォロワ回路を構成するトランジスタは、Ｐチャネル型の電界効果トランジスタであり、そのソース端子は、負荷抵抗を介して所定電位の第１端子に接続され、そのドレイン端子は、前記所定電位よりも低い電位の第２端子に接続されていることを特徴とする。
【００１６】
上記構成の固体撮像装置は、前述のＰＮＰ型のバイポーラトランジスタに代えて、Ｐチャネル型の電界効果トランジスタを採用するものである。これによれば、ソースフォロワ回路は、前述のエミッタフォロワ回路と同一の回路構成となる。
したがって、当該固体撮像装置は、ソースフォロワ回路の立下り特性の点において、前述の固体撮像装置と同一の効果を奏することができる。
【００１７】
また、前記所定の電位よりも低い電位は、グラウンド電位であることとしてもよい。
上記構成の固体撮像装置は、ドレイン端子の電位はグラウンド電位に固定されることとなる。したがって、歩留りの低下の抑制の点において、前述の固体撮像装置と同一の効果を奏することができる。
また、前記トランジスタは、ドレインの定格電流が１ｍＡ以上２０ｍＡ以下であることとしてもよい。
【００１８】
これによれば、当該固体撮像装置は、容量成分による信号劣化を抑制する点において、前述の固体撮像装置と同一の効果を奏することができる。
また、前記固体撮像装置は、さらに、前記ソースフォロワ回路からの出力信号を信号処理する処理回路を備え、前記固体撮像素子及び前記ソースフォロワ回路は、前記処理回路と異なるプリント基板に搭載されており、前記トランジスタは、そのソース端子が前記処理回路とケーブルにより接続されていることとしてもよい。
【００１９】
これによれば、当該固体撮像装置は、歩留りの低下を抑制する点において、前述の固体撮像装置と同一の効果を奏することができる。
【発明を実施するための最良の形態】
【００２０】
図１は、本発明の固体撮像装置の構成を示す図である。
固体撮像装置は、ＣＣＤ１、エミッタフォロワ回路２、処理回路３を備える。
本発明に係る固体撮像装置は、エミッタフォロワ回路２の構成が従来の固体撮像装置（図５参照）と異なる。以下、従来の固体撮像装置と異なる点について説明し、同様の構成要素については説明を省略する。
【００２１】
本発明に係るエミッタフォロワ回路２は、トランジスタＴｒ２および負荷抵抗Ｒ１を備える。トランジスタＴｒ２は、ＰＮＰ型のバイポーラトランジスタであり、そのエミッタ端子は、負荷抵抗Ｒ１を介してＶＤＤに接続され、そのコレクタ端子は、グラウンドに接続されている。
上記構成によれば、エミッタフォロワ回路２の出力端子１０とグラウンドとの間には負荷抵抗Ｒ１ではなくトランジスタＴｒ２が介在することとなる。トランジスタＴｒ２は、出力端子１０の電荷をグラウンドへと放出するための電流源として働く。ＣＣＤ１からの出力信号がトランジスタＴｒ２のベースに入力され、これが立ち下がり波形であるとき、トランジスタＴｒ２はより電流を流す方向に動作し、出力端子１０の電荷を放電する。よって出力端子１０においては入力信号の立ち下がり特性に素早く応答した立ち下がり波形が得られる。言い換えると、トランジスタＴｒ２の入力信号波形（ＣＣＤ１の出力信号波形）の時間に対する１次微分が負極性の期間、トランジスタＴｒ２に流れるコレクタ電流の時間に対する１次微分が正極性となっている。即ち、出力端子１０の電位は、電流源により積極的に下げられることになる。そのため、エミッタフォロワ回路２の立下り特性は従来よりも優れている。そのため、１画素分の信号出力波形において時間経過に対する安定なサンプリング領域が得られ、ＣＤＳなどの信号処理が従来よりも安定に動作し、画像劣化が起こりにくくなる。なお、出力端子１０の電荷とは、配線４の寄生容量Ｃ１及び処理回路３のクランプ容量Ｃ２に充電されている電荷である。
【００２２】
図２は、固体撮像装置におけるＣＣＤ１とエミッタフォロワ回路２の出力信号を示す図である。
Ｓ１は、ＣＣＤ１の出力信号である。時刻ｔ１からｔ４までが１画素分の出力信号である。出力信号は、まずリセットノイズ電位Ｖ１１が現れ、その後リセットノイズ電位Ｖ１１よりも低電位の基準電位Ｖ１２が現れ、その後基準電位Ｖ１２よりも低電位の信号電位Ｖ１３が現れるという特有の形状を示す。この基準電位Ｖ１２と信号電位Ｖ１３との電位差が１画素分の画素値に相当する。画素値は、処理回路３が、時刻ｔ２において基準電位をサンプリングし、その後時刻ｔ３において信号電位をサンプリングすることにより得られる。
【００２３】
Ｓ２は、従来の固体撮像装置（図５参照）におけるエミッタフォロワ回路２の出力信号である。従来に係る出力信号は、電位が立下る領域２１、２２において、ＣＣＤ１の出力信号よりも波形が鈍っていることがわかる。これは、出力端子１０の電荷が、容量Ｃ１及びＣ２と負荷抵抗Ｒ１とで定まる時定数に従って放電されるからである。波形が鈍ることにより、時刻ｔ２及びｔ３において各電位が適正にサンプリングされず、固体撮像装置の信号直線性の劣化や、ダイナミックレンジの低下が生じる。
【００２４】
Ｓ３は、本発明の固体撮像装置（図１参照）におけるエミッタフォロワ回路２の出力信号である。本発明に係る出力信号は、電位が立下る領域３１、３２において、ＣＣＤ１の出力信号と同等な波形を保つことがわかる。これは、出力端子１０の電荷が、トランジスタＴｒ２により積極的にグラウンドに放出されるからである。このように、本発明は、エミッタフォロワ回路における立下り特性が従来よりも優れた固体撮像装置を提供することができる。
【００２５】
なお、上記の特性は、トランジスタＴｒ２を流れる電流を絞っても得ることができる。これにより、固体撮像装置の消費電力の低減を図ることができる。
また、本発明に係る出力波形は、電位が立ち上がる領域において出力端子１０の立ち上がり応答は、カップリング容量Ｃ１とクランプ容量Ｃ２に抵抗Ｒ１を介した電流による出力端子１０の充電動作となり、カップリング容量Ｃ１とクランプ容量Ｃ２と抵抗Ｒ１との時定数に依存する。これにより、立ち上がり波形は鈍り、リセットノイズ電位Ｖ３１を従来よりも低くすることができる。
【００２６】
なお、通常、出力信号をモニタリングしようとすると、プローブの容量の影響により出力信号の低下、ノイズの発生が起きる。本発明の固体撮像装置では、そのようなプローブの影響を抑制することができる。
さらに、図１に示す固体撮像装置は、上述した効果とは別に以下の効果を奏する。これは、コレクタ端子の電位がグラウンド電位に固定されることに起因する。
【００２７】
固体撮像装置は、その製造過程においてエミッタフォロワ回路２の出力端子１０が予期せずグラウンドにショートする場合があり得る。これは、例えば、出力端子１０と配線４とを接続する際のハンダブリッジによる場合や、製品完成後の検査段階でオペレータがエミッタフォロワ回路２の出力信号をモニタリングしようとしたとき、電圧計のプローブを出力端子１０とグラウンドとの双方に接触させてしまう場合などが考えられる。
【００２８】
従来の固体撮像装置（図５参照）は、出力端子１０がグラウンドにショートした場合、短絡電流は、ＶＤＤからグラウンドまでにトランジスタＴｒ１を通過することになる。その結果、トランジスタＴｒ１あるいはＶＤＤ系統が破損してしまい、製品の歩留りの低下を招く。
一方、本発明の固体撮像装置（図１参照）は、出力端子１０がグラウンドにショートした場合、短絡電流は、ＶＤＤからグラウンドまでに負荷抵抗Ｒ１を通過することになる。即ち、短絡電流の通過路にトランジスタＴｒ２が介在しないので、トランジスタＴｒ２が破損することがない。さらに、短絡電流は負荷抵抗Ｒ１を通過するので電流値自体も抑制されるため、ＶＤＤ系統が破損することもない。
【００２９】
これにより、図１に示す固体撮像装置は、出力端子１０が予期せずグラウンドにショートした場合であっても、ショートの原因（ハンダブリッジによる場合はハンダ）を除去することで原状回復されるため、歩留りの低下を抑制することができる。
なお、近年の固体撮像装置の小型化に伴い、全ての回路を一のプリント基板に搭載することができない場合が多い。このような場合、各回路を複数のプリント基板に分散させることが行われる。
【００３０】
図３は、本発明の固体撮像装置における各回路のプリント基板への実装例を示す図である。
ＣＣＤ１及びエミッタフォロワ回路２は、プリント基板５に搭載されており、処理回路３はプリント基板６に搭載されている。配線４は、ケーブルであり、プリント基板５の出力ポート７とプリント基板６の出力ポート８とを電気的に接続する。これにより、トランジスタＴｒ２は、そのエミッタ端子が処理回路３に配線４により接続されることになる。
【００３１】
通常、ケーブルを引き回す場合、ノイズ耐性を考慮すれば出力インピーダンスが小さいほうが望ましい。そのため、エミッタフォロワ回路２がプリント基板５の最終出力段となっている。
ところで、この固体撮像装置は、その製造過程において、出力ポート７と配線４とが接続されることになる。このとき、ハンダブリッジによりエミッタフォロワ回路２の出力端子１０がグラウンドにショートする可能性がある。しかしながら、上述したように、当該固体撮像装置は、短絡電流によるトランジスタＴｒ２やＶＤＤ系統の破損がなく、ハンダブリッジを起こしているハンダを除去するだけで原状回復させることができる。そのため、製造過程における歩留りの低下を抑制することができる。
【００３２】
なお、トランジスタＴｒ２は、ＣＣＤ１とは別個のディスクリート製品であり、そのベースとコレクタとの間にはＰＮ接合に起因する寄生容量Ｃ３が存在する。
ＣＣＤ１の出力信号は、１５ＭＨｚから５０ＭＨｚ程度と比較的高い周波数を用いているので、容量成分による信号劣化を考慮するとトランジスタの寄生容量Ｃ３は小さいほうが望ましい。
【００３３】
通常、固体撮像装置におけるエミッタフォロワ回路２は、１ｍＡから１０ｍＡ程度の電流が流れ、これ以上の電流が流れることはない。したがって、高周波数の駆動および大容量負荷等を考慮しても、トランジスタＴｒ２の定格電流を２０ｍＡよりも大きくする必要がない。そこで、トランジスタＴｒ２の定格電流を１ｍＡ以上２０ｍＡ以下とすることで、トランジスタＴｒ２の寄生容量Ｃ３を可能な限り小さく抑えることができる。その結果、容量成分による信号劣化を抑制することができる。
【００３４】
以上、本発明に係る固体撮像装置について、実施の形態に基づいて説明したが、本発明はこの実施の形態に限られない。例えば、以下のような変形例が考えられる。
（１）図４は、本発明の固体撮像装置の変形例を示す図である。
当該固体撮像装置に係るエミッタフォロワ回路２は、グラウンド電位（０Ｖ）よりも低い−ＶＤＤ電位（−１２Ｖ）により駆動される。ＣＣＤ１とエミッタフォロワ回路２との間にはコンデンサＣ４が介在する。コンデンサＣ４は、ＣＣＤ１とエミッタフォロワ回路２とを直流的に切断する役割を果たす。また、トランジスタＴｒ２のベースとグラウンドとの間にバイアス回路Ｂ１が介在する。バイアス回路Ｂ１は、トランジスタＴｒ２のベースに負のバイアスを印加する役割を果たす。
【００３５】
この場合でも、エミッタフォロワ回路２の出力端子１０と−ＶＤＤとの間には負荷抵抗Ｒ１ではなくトランジスタＴｒ２が介在することとなる。トランジスタＴｒ２は、出力端子１０の電荷を−ＶＤＤへと放出するための電流源として働き、トランジスタＴｒ２を流れる電流が増加すれば出力端子１０の電位が下がり、電流が減少すれば出力端子１０の電位が上がる。即ち、出力端子１０の電位は、電流源により積極的に下げられることになる。そのため、エミッタフォロワ回路２の立下り特性は、従来よりも優れている。
【００３６】
なお、図４に示す固体撮像装置では、製造過程において出力端子１０がグラウンドにショートした場合にトランジスタＴｒ２が破損しないという効果は見込めない。
（２）トランジスタＴｒ２は、ＰＮＰ型のバイポーラトランジスタとして説明しているが、これに代えて、Ｐチャネル型の電界効果トランジスタを採用してもよい。電界効果トランジスタを採用すれば、エミッタフォロワ回路ではなくソースフォロワ回路となるが、これらの回路構成は同一である。したがって、これらは同一の効果を奏することができる。
また、上記以外でもＣＣＤ出力特性の特徴に合わせた動作特性を示すデバイスを用いても同様な効果を得られる。この動作特性とは、ＣＣＤの１画素分信号出力開始時の入力に応じてデバイスの電流量が増加し、そのデバイスによるインピーダンス低減回路の出力側の充放電を早くする動作特性である。
【００３７】
なお、電界効果トランジスタを採用する場合、１／ｆノイズの影響を考慮すると、接合型トランジスタがＭＯＳ型トランジスタよりも好ましい。
（３）固体撮像素子としてＣＣＤ型を採り上げて説明しているが、ＭＯＳ型でも同様の効果を奏することができる。
【産業上の利用可能性】
【００３８】
本発明は、デジタルスチルカメラ、デジタルビデオカメラなどに適用することができる。
【図面の簡単な説明】
【００３９】
【図１】本発明の固体撮像装置の構成を示す図である。
【図２】固体撮像装置におけるＣＣＤ１とエミッタフォロワ回路２の出力信号を示す図である。
【図３】本発明の固体撮像装置における各回路のプリント基板への実装例を示す図である。
【図４】本発明の固体撮像装置の変形例を示す図である。
【図５】従来の固体撮像装置の構成を示す図である。
【符号の説明】
【００４０】
１    ＣＣＤ
２    エミッタフォロワ回路
３    処理回路
４    配線
５    プリント基板
６    プリント基板
【図１】
2005348267.tif 000003
【図２】
2005348267.tif 000004
【図３】
2005348267.tif 000005
【図４】
2005348267.tif 000006
【図５】
2005348267.tif 000007